(57)【特許請求の範囲】
【請求項１】
インクを吐出する記録ヘッドを着脱自在に搭載して移動可能なキャリッジと、
インクタンクから前記記録ヘッドへインクを供給するための供給チューブと、
前記キャリッジに回動可能に軸支され、前記記録ヘッドを前記キャリッジに固定する第１の姿勢と、前記記録ヘッドを前記キャリッジに着脱自在な第２の姿勢とに移動可能なヘッドセットカバーと、
前記ヘッドセットカバーに設けられ、前記記録ヘッドと連結し前記供給チューブを介して前記インクタンクから前記記録ヘッドへインクを供給可能な第１の位置と、前記記録ヘッドと離間し前記インクタンクから前記記録ヘッドへインクを供給できない第２の位置とに移動可能なジョイント部と、を備えるインクジェット記録装置であって、
前記ヘッドセットカバーが前記第２の姿勢から前記第１の姿勢に移動するときには前記ジョイント部は前記ヘッドセットカバーの移動に連動せず、前記ヘッドセットカバーが前記第１の姿勢から前記第２の姿勢に移動するときには前記ジョイント部は前記ヘッドセットカバーの移動に連動して前記第１の位置から前記第２の位置に移動することを特徴とするインクジェット記録装置。
【請求項２】
前記ジョイント部を前記第１の位置から前記第２の位置に向けて付勢する付勢手段をさらに備えることを特徴とする請求項１に記載のインクジェット記録装置。
【請求項３】
前記ヘッドセットカバーが前記第１の姿勢のときで、かつ前記ジョイント部が前記第２の位置から前記第１の位置に移動したときに、前記ジョイント部が前記第２の位置へ移動することを規制する規制手段をさらに備えることを特徴とする請求項１または２に記載のインクジェット記録装置。
【請求項４】
前記ヘッドセットカバーが前記第１の姿勢から前記第２の姿勢に移動したときに、前記規制手段による前記ジョイント部の移動の規制を解除する解除手段をさらに備えることを特徴とする請求項３に記載のインクジェット記録装置。
【請求項５】
前記解除手段は、前記ヘッドセットカバーに一体に形成されていることを特徴とする請求項４に記載のインクジェット記録装置。
【請求項６】
前記ヘッドセットカバーを前記第１の姿勢から前記第２の姿勢に向けて付勢する第２の付勢手段をさらに備えることを特徴とする請求項１ないし５のいずれか１項に記載のインクジェット記録装置。
【請求項７】
前記ヘッドセットカバーが前記第１の姿勢のときに、前記ヘッドセットカバーが前記第２の姿勢へ移動することを規制する第２の規制手段をさらに備えることを特徴とする請求項１ないし６のいずれか１項に記載のインクジェット記録装置。
【請求項８】
前記ヘッドセットカバーに設けられ、前記ヘッドセットカバーが前記第１の姿勢のときに、前記記録ヘッドと当接して前記記録ヘッドを前記キャリッジに固定する固定手段をさらに備えることを特徴とする請求項１ないし７のいずれか１項に記載のインクジェット記録装置。
【請求項９】
前記ジョイント部が前記第２の位置にあるときに、前記ジョイント部を前記ヘッドセットカバーに対して固定する第２の固定手段をさらに備えることを特徴とする請求項１ないし８のいずれか１項に記載のインクジェット記録装置。
【請求項１０】
前記ジョイント部が前記第２の位置から前記第１の位置に移動するときに、前記第２の固定手段による前記ジョイント部の固定を解除する第２の解除手段と、をさらに備えることを特徴とする請求項９に記載のインクジェット記録装置。
【請求項１１】
前記ジョイント部は、前記第１の位置にあるときに前記インクタンクから前記記録ヘッドへインクを供給するために前記記録ヘッドと連結するリップ部を有し、
前記リップ部は、前記ヘッドセットカバーの回転中心から半径方向において異なる距離の位置に複数設けられていることを特徴とする請求項１ないし１０のいずれか１項に記載のインクジェット記録装置。
【請求項１２】
前記ジョイント部は、前記第１の位置にあるときに前記記録ヘッドの位置を固定するための位置決め部と、前記第１の位置にあるときに前記インクタンクから前記記録ヘッドへインクを供給するために前記記録ヘッドと連結するリップ部とを有し、
前記位置決め部と前記リップ部は、前記ヘッドセットカバーの回転中心から半径方向において異なる距離の位置に設けられていることを特徴とする請求項１ないし１０のいずれか１項に記載のインクジェット記録装置。
【請求項１３】
前記キャリッジは、複数の記録ヘッドを着脱自在に搭載し、
前記ヘッドセットカバーは、前記第１の姿勢において前記複数の記録ヘッドを固定し、前記第２の姿勢において前記複数の記録ヘッドを着脱自在にすることを特徴とする請求項１ないし１２のいずれか１項に記載のインクジェット記録装置。
【発明の詳細な説明】
【技術分野】
【０００１】
本発明は、インクジェット記録装置に関する。
【背景技術】
【０００２】
特許文献１には、記録ヘッドを着脱可能なキャリッジと、記録ヘッドへインクを供給するための供給チューブと、供給チューブと記録ヘッドを接続するためのジョイント部と、キャリッジに開閉可能に設けられたカバーとを備えた記録装置が開示されている。当該記録装置は、カバーの閉鎖動作に連動して記録ヘッドのキャリッジに対する位置決め及び固定と、ジョイント部の記録ヘッドに対する接続及び固定とを行うことにより、記録ヘッドの交換の際の作業性を向上させている。
【先行技術文献】
【特許文献】
【０００３】
【特許文献１】特開２００３−２００５９５号公報
【発明の概要】
【発明が解決しようとする課題】
【０００４】
特許文献１に記載の技術では、ジョイント部および記録ヘッドの位置決め部がカバーの回転中心からある程度離れた位置に設けられている場合には有効である。しかしながら、カバーの回転中心に近い位置にジョイント部および記録ヘッドの位置決め部が設けられている場合には、カバーと共に回転するジョイント部を記録ヘッドに対して垂直に挿入することが困難な場合がある。そのため、ジョイント部を記録ヘッドに確実に挿入するためには、ジョイント部および記録ヘッドの位置決め部をカバーの回転中心からある程度離れた位置に設ける等する必要があり、装置の大型化に繋がるおそれがある。
【０００５】
本発明は上記課題に鑑み、装置を大型化することなく、簡便かつ確実に、キャリッジに記録ヘッドを着脱可能なインクジェット記録装置を提供することを目的とする。
【課題を解決するための手段】
【０００６】
上記課題を解決するため、本発明に係るインクジェット記録装置は、インクを吐出する記録ヘッドを着脱自在に搭載して移動可能なキャリッジと、インクタンクから前記記録ヘッドへインクを供給するための供給チューブと、前記キャリッジに回動可能に軸支され、前記記録ヘッドを前記キャリッジに固定する第１の姿勢と、前記記録ヘッドを前記キャリッジに着脱自在な第２の姿勢とに移動可能なヘッドセットカバーと、前記ヘッドセットカバーに設けられ、前記記録ヘッドと連結し前記供給チューブを介して前記インクタンクから前記記録ヘッドへインクを供給可能な第１の位置と、前記記録ヘッドと離間し前記インクタンクから前記記録ヘッドへインクを供給できない第２の位置とに移動可能なジョイント部と、を備えるインクジェット記録装置であって、前記ヘッドセットカバーが前記第２の姿勢から前記第１の姿勢に移動するときには前記ジョイント部は前記ヘッドセットカバーの移動に連動せず、前記ヘッドセットカバーが前記第１の姿勢から前記第２の姿勢に移動するときには前記ジョイント部は前記ヘッドセットカバーの移動に連動して前記第１の位置から前記第２の位置に移動することを特徴とする。
【発明の効果】
【０００７】
本発明によれば、装置を大型化することなく、簡便かつ確実に、キャリッジに記録ヘッドを着脱可能なインクジェット記録装置を提供することができる。
【図面の簡単な説明】
【０００８】
【図１】第１実施形態に係るインクジェット記録装置の斜視図である。
【図２】第１実施形態に係るインクジェット記録装置の断面図である。
【図３】第１実施形態に係るカバーが開いた状態のキャリッジ部の斜視図である。
【図４】第１実施形態に係るカバーが開いた状態のキャリッジ部の断面図である。
【図５】第１実施形態に係るカバーが開じた状態のキャリッジ部の斜視図である。
【図６】第１実施形態に係るカバーが開じた状態のキャリッジ部の断面図である。
【図７】第１実施形態に係るジョイント挿入状態のキャリッジ部の斜視図である。
【図８】第１実施形態に係るジョイント挿入状態のキャリッジ部の断面図である。
【図９】第１実施形態において複数の記録ヘッドを並べた場合のキャリッジ部の斜視図である。
【図１０】第２実施形態に係るカバーが開いた状態のキャリッジ部の斜視図である。
【図１１】第２実施形態に係るカバーが開じた状態のキャリッジ部の斜視図である。
【図１２】第２実施形態に係るジョイント挿入状態のキャリッジ部の斜視図である。
【発明を実施するための形態】
【０００９】
（第１実施形態）
以下、図面を参照しながら、本発明の第１実施形態について詳細に説明する。
【００１０】
図１は、本発明の第１実施形態に係るインクジェット記録装置の斜視図である。図２は、本発明の第１実施形態に係るインクジェット記録装置の断面図である。
【００１１】
インクジェット記録装置１は、シート（記録媒体）を給送する給送部２と、記録媒体を搬送する搬送部３と、記録媒体を排出する排出部４と、記録媒体に画像を記録する記録部５とを有する。また、インクジェット記録装置１は、後述するメンテナンス部６と、インク供給部７とを有する。
【００１２】
給送部２において、圧板２１に積載された記録媒体は、ピックアップローラ２２と分離ローラ２３によって分離され搬送部３へ給送される。搬送部３へ給送された記録媒体は、停止または逆転する主搬送ローラ３１と従動ローラ３２に突き当てられることによって斜行が矯正される（斜行矯正動作）。その後、記録媒体は、主搬送ローラ３１と従動ローラ３２とによって挟持され記録部５へ搬送される。記録部５へ搬送された記録媒体は、プラテン３３に下方から支持された状態で、対向する位置にある記録ヘッド５１によりインクが吐出され画像が形成される。
【００１３】
記録ヘッド５１は、キャリッジ５２に着脱自在に搭載される。キャリッジ５２は、記録ヘッド５１を搭載した状態で記録媒体の搬送方向（第１方向）と交差する方向（第２方向）に移動可能にシャーシ１１により支持される。キャリッジ５２は、キャリッジ駆動モータ１２の駆動が伝達ベルト１３に伝達されることによって、第２方向へ移動する。キャリッジ５２が第２方向に移動している間に、記録ヘッド５１が記録媒体に対してインクを吐出して１バンド分の画像を形成する。１バンド分の画像が形成された記録媒体は、次の１バンド分の画像を形成するために所定の搬送量ずつ第１方向に間欠的に搬送される。この間欠搬送動作と画像形成動作とを交互に繰り返すことによって、記録媒体全体に画像が形成される。画像が形成された記録媒体は、排出部４へ搬送される。排出部４へ搬送された記録媒体は、排出ローラ４１と拍車４２とによって不図示の排出トレイへ排出される。
【００１４】
キャリッジが移動可能な領域の端部には、記録ヘッド５１をメンテナンスするためのメンテナンス部６が設けられている。メンテナンス部６は、記録ヘッド５１に設けられたインク吐出口を覆うためのキャップを有している。キャップによってインク吐出口を覆うことによりインク吐出口からのインクの乾燥を防ぐことができる。また、メンテナンス部６は、記録ヘッド５１の記録性能を回復するためにキャップをした状態でチューブとポンプによりインク吐出口からインクを吸引する吸引回復機構を有している。
【００１５】
インク供給部７は、装置本体の前面に配置されている。インク供給部７は、内部にインクを収容するインクタンク７１を有している。インクタンク７１は、インクを注入するためのインク注入口を有している。ユーザーは、インクをインク注入口よりインクタンク７１の内部に注入することによってインクを補充することができる。インクタンク７１に収容されたインクは、供給チューブ７２を介して記録ヘッド５１へ供給される。インクタンク７１からインクが供給されることによって、記録ヘッド５１は印刷時にインクを吐出して記録媒体に画像を形成することができるようになる。
【００１６】
次に、本発明の特徴部分であるキャリッジ部の構成について、図３から図８を参照しながら詳細に説明する。
【００１７】
キャリッジ部は、記録部５に配置されている。キャリッジ部は、記録ヘッド５１を着脱自在に搭載するキャリッジ５２を有するユニットである。キャリッジ５２は、上述したように記録ヘッド５１を搭載した状態で第２方向に移動可能に構成されている。キャリッジ５２には、装着された記録ヘッド５１を覆うヘッドセットカバー５３が設けられている。
【００１８】
図３、図４は、ヘッドセットカバー５３が開いた状態のキャリッジ部の斜視図と断面図である。図５、図６は、ヘッドセットカバー５３が閉じた状態のキャリッジ部の斜視図と断面図である。図７、図８は、ジョイントが挿入されている状態のキャリッジ部の斜視図と断面図である。
【００１９】
ヘッドセットカバー５３は、キャリッジ５２に軸受部５２１を回転中心として回動可能に軸支されている。ヘッドセットカバー５３は、不図示の付勢部材によって付勢され、図３、図４に示すようにヘッドセットカバー５３が開いた状態（第２の姿勢）で保持されるように構成されている。
【００２０】
ヘッドセットカバー５３が開いた状態（図３、図４）から、ヘッドセットカバー５３を倒していくと、図５、図６に示すようなヘッドセットカバー５３が閉じた状態（第１の姿勢）となる。ヘッドセットカバー５３が閉じた状態では、キャリッジ５２に設けられた規制部５２２とヘッドセットカバー５３に設けられた爪部５３２とが係合している。これにより、ヘッドセットカバー５３は閉じた状態で固定される。
【００２１】
ヘッドセットカバー５３には、ヘッドセットカム５４とヘッドセットカム５４を付勢するヘッドセットカムばね５５が設けられている。ヘッドセットカバー５３が閉じた状態のときは、記録ヘッド５１に設けられた当接部５１３が付勢されたヘッドセットカム５４と当接し、記録ヘッド５１の位置が固定される（図６）。
【００２２】
ヘッドセットカバー５３には、ジョイント部５６が設けられている。ジョイント部５６には、インク流入口５６３が設けられている。インク流入口５６３には、供給チューブ７２の一端が接続されている。供給チューブ７２の他端は、インクタンク７１に接続されている。
【００２３】
ジョイント部５６は、ジョイントレバー５７によってヘッドセットカバー５３に対して上下方向に移動可能に構成されている。ジョイント部５６は、ジョイントレバーばね５８（付勢手段）によって下方の位置（第１の位置）から上方の位置（第２の位置）に向けて付勢されている。ジョイント部５６が上方の位置にあるときは、ジョイント部５６の位置決め部５６４とヘッドセットカバー５３の位置決め部５３４とが係合している。これにより、ジョイント部５６は、上方の位置においてヘッドセットカバー５３に位置決め固定されている。
【００２４】
ジョイントレバー５７が押し下げられると、ジョイント部５６の位置決め部５６４とヘッドセットカバー５３の位置決め部５３４との係合が解除され、位置決め固定が解除される。ジョイント部５６が下方の位置に移動すると、ジョイントレバー５７の爪部５７１とキャリッジ５２に設けられたロック部５２３とが係合する。これによって、ジョイント部５６は下方の位置において固定され、ジョイント部はジョイントレバーばね５８によって下方の位置から上方の位置へ移動することが規制される。
【００２５】
キャリッジ５２に装着される記録ヘッド５１には、ジョイント部５６を位置決めするための複数の軸部５１１と、複数のインク供給口５１２とが設けられている。インク供給口５１２は、インク色毎に設けられている。本実施形態では、シアン用インク供給口５１２Ｃ、マゼンタ用インク供給口５１２Ｍ、イエロー用インク供給口５１２Ｙが設けられている。ジョイント部５６には、記録ヘッド５１の軸部５１１に対応するように位置決め部５６１が設けられている。また、ジョイント部５６には、インク供給口５１２に対応するように可撓性のリップ部５６２が設けられている。リップ部５６２は各インク色毎のインク供給口５１２に対応するように、シアン用リップ部５６２Ｃ、マゼンタ用リップ部５６２Ｍ、イエロー用リップ部５６２Ｙが設けられている。
【００２６】
位置決め部５６１は、ヘッドセットカバー５３の回転中心から半径方向において距離Ｒ１の位置に設けられている。シアン用リップ部５６２Ｃ、及びイエロー用リップ部５６２Ｙは、ヘッドセットカバー５３の回転中心から半径方向において距離Ｒ１よりも大きい距離Ｒ２の位置に設けられている。マゼンタ用リップ部５６２Ｃは、ヘッドセットカバー５３の回転中心から半径方向において距離Ｒ１よりも小さい距離Ｒ３の位置に設けられている。また、記録ヘッド５１の軸部５１１及びインク供給口５１２は、記録ヘッド５１をキャリッジ５２に装着した際に、ジョイント部５６のそれぞれの位置決め部５６１及びリップ部５６２と対応した位置関係になるように設けられている（図３、図６）。
【００２７】
次に、キャリッジ５２に記録ヘッド５１を装着する際の流れを説明する。
【００２８】
まず、図３、図４に示すような、ヘッドセットカバー５３が開いた状態において、記録ヘッド５１をキャリッジ５２に装着して、ヘッドセットカバー５３を閉じる。ヘッドセットカバー５３を閉じると、キャリッジ５２に設けられた規制部５２２とヘッドセットカバー５３に設けられた爪部５３２とが係合する。そして、付勢されたヘッドセットカム５４が記録ヘッド５１の当接部５１３と当接し、記録ヘッド５１がキャリッジ５２に対して位置決め固定される（図５、図６）。ここでは、まだジョイント部５６の位置決め部５６１及びリップ部５６２は、記録ヘッド５１の軸部５１１及びインク供給口５１２と離間した状態にある。
【００２９】
その後、ジョイントレバー５７を下方に押すと、ジョイント部５６の位置決め部５６４とヘッドセットカバー５３の位置決め部５３４との係合が解除され、ジョイントレバー５７は上方の位置から下方の位置へ移動する。このとき、記録ヘッド５１の軸部５１１にジョイント部５６の位置決め部５６１がガイドされ、それぞれのインク供給口５１２（５１２Ｃ、５１２Ｍ、５１２Ｙ）にそれぞれのリップ部５６２（５６２Ｃ、５６２Ｍ、５６２Ｙ）が挿入される。これにより、ジョイント部５６と記録ヘッド５１とが連結し、インクタンク７１から記録ヘッド５１へインクが供給可能な状態となる（図７、図８）。このとき、ジョイントレバー５７の爪部５７１とキャリッジ５２に設けられたロック部５２３とが係合している。これによって、ジョイントレバーばね５８によるジョイントレバー５７の上方の位置への移動が規制される。
【００３０】
次に、キャリッジ５２から記録ヘッド５１を取り外す際の流れを説明する。
【００３１】
まず、図７、図８に示すような記録ヘッドがキャリッジに装着された状態から、キャリッジ５２の規制部５２２とヘッドセットカバー５３の爪部５３２との係合を解除して、ヘッドセットカバー５３を開く。ヘッドセットカバー５３が開くと、同時にヘッドセットカバー５３の側面に一体に形成されたロック解除部５３３によりロック部５２３が押し広げられ、ジョイントレバー５７の爪部５７１とキャリッジ５２のロック部５２３との係合が解除される。これによって、ジョイントレバー５７は上下方向に移動可能な状態となる。ジョイントレバー５７は、ジョイントレバーばね５８によって下方の位置から上方の位置に向けて付勢されている。よって、ジョイントレバー５７は上方の位置へ移動する。このように、図７、図８に示すような状態からヘッドセットカバー５３を開くと、同時にジョイントレバー５７も上方の位置へ移動し、図３、図４に示すような、ヘッドセットカバー５３が開いた状態となる。ここで、ジョイント部５６の位置決め部５６４とヘッドセットカバー５３の位置決め部５３４とが係合し、ジョイント部５６は上方の位置においてヘッドセットカバー５３に位置決め固定される。この状態のとき、ユーザーは、キャリッジ５２から記録ヘッド５１を取り外すことができる。
【００３２】
以上、本実施形態によれば、装置を大型化することなく、簡便かつ確実に、キャリッジに記録ヘッドを着脱することができる。
【００３３】
なお、本実施形態では、ジョイント部にリップ部を設ける構成としたが、本発明はこれに限定されず、記録ヘッドにリップ部を設ける構成としても良い。また、本実施形態では、インク供給口とリップ部を回転中心から距離Ｒ２、距離Ｒ３の位置に設け、位置決め部を回転中心から距離Ｒ１の位置に設ける構成としたが、本発明はこれに限定されず、これらを任意の位置に設ける構成としても良い。さらには、位置決め部を設けずに、インク供給口とリップ部のみを異なる位置に複数設ける構成としても良い。
【００３４】
また、複数の記録ヘッドをキャリッジに装着する場合には、図９に示すようにそれぞれの記録ヘッドに対応したヘッドセットカバーとジョイント部を設ける構成とすることで対応することができる。
【００３５】
（第２実施形態）
次に、本発明の第２実施形態について説明する。なお、第１実施形態と同様の構成についてはその説明を省略し、異なる部分についてのみ説明する。
【００３６】
本発明の第２実施形態に係るキャリッジ部の構成について、図１０から図１２を参照しながら説明する。本実施形態では、１つのキャリッジ１５２、１つのヘッドセットカバー１５３に対して２つの記録ヘッド１５１Ａ、１５１Ｂを取り付ける構成とする。ここでは、記録ヘッドは、インク色毎に使い分けている。例えば、本実施形態では、記録ヘッド１５１Ａはカラーインク用（シアンＣ、マゼンタＭ、イエローＹ）とし、記録ヘッド１５１Ｂはブラックインク用（ブラックＢｋ）として用いる。
【００３７】
キャリッジ１５２には、第１実施形態と同様、ヘッドセットカバー１５３が回動可能に軸支されている。ヘッドセットカバー１５３には、上下方向に移動可能なようにジョイント部１５６Ａ、１５６Ｂと、ジョイントレバー１５７Ａ、１５７Ｂとが設けられている。
【００３８】
ジョイント部１５６Ａ、１５６Ｂには、第１実施形態と同様、それぞれに位置決め部１５６１Ａ、１５６１Ｂと、リップ部１５６２Ａ、１５６２Ｂとが設けられている。また、記録ヘッド１５１Ａには、キャリッジ１５２に装着した際に、それぞれの位置決め部１５６１Ａ及びリップ部１５６２Ａに対応した位置関係になるように、軸部１５１１Ａ及びインク供給口１５１２Ａが設けられている。同様に、記録ヘッド１５１Ｂには、キャリッジ１５２に装着した際に、それぞれの位置決め部１５６１Ｂ及びリップ部１５６２Ｂに対応した位置関係になるように、軸部１５１１Ｂ及びインク供給口１５１２Ｂが設けられている。
【００３９】
図１０は、ヘッドセットカバー１５３が開いた状態のキャリッジ部の斜視図である。図１１は、ヘッドセットカバー１５３が閉じた状態のキャリッジ部の斜視図である。図１２は、ジョイントが挿入されている状態のキャリッジ部の斜視図である。
【００４０】
図１０に示すようなヘッドセットカバー１５３が開いた状態から、ヘッドセットカバー１５３を倒していく。すると、キャリッジ１５２に設けられた規制部１５２２とヘッドセットカバー１５３に設けられた爪部１５３２とが係合し、図１１に示すようなヘッドセットカバー１５３が閉じた状態で固定される。そして、記録ヘッド１５１Ａ、１５１Ｂは、ヘッドセットカバー１５３に設けられたヘッドセットカム１５４Ａ、１５４Ｂと当接し、記録ヘッド１５１Ａ、１５１Ｂがそれぞれキャリッジ１５２に対して位置決め固定される。
【００４１】
そして、ジョイントレバー１５７Ａ、１５７Ｂをそれぞれ押し下げると、軸部１５１１Ａ、１５１１Ｂに位置決め部１５６１Ａ、１５６１Ｂがそれぞれガイドされ、インク供給口１５１２Ａ、１５１２Ｂにリップ部１５６２Ａ、１５６２Ｂがそれぞれ挿入される。これにより、図１２に示すように、ジョイント部１５６Ａ、１５６Ｂと記録ヘッド１５１Ａ、１５１Ｂとがそれぞれ連結され、各色インクタンクから記録ヘッド５１へインクが供給可能な状態となる。このとき、ジョイントレバー１５７Ａ、１５７Ｂは、キャリッジ１５２のロック部１５２３Ａ、１５２３Ｂとそれぞれ係合する。これによって、ジョイントレバーばねによるジョイントレバー１５７Ａ、１５７Ｂの上方の位置への移動が規制される。
【００４２】
以上のように、複数の記録ヘッドに対しても１つのキャリッジ、１つのヘッドセットカバーを用いる構成とすることで、第１実施形態において記録ヘッドを２つ並べる構成（図９）にする場合よりも、さらに記録部の幅を狭くすることができる。よって、装置を小型化することができ、また、装置の小スペース化により供給チューブの配置等の設計自由度を向上することができる。また、ユーザーにとって必要な操作を削減することで、記録ヘッドの着脱の利便性をさらに向上することができる。
【符号の説明】
【００４３】
１  インクジェット記録装置
５１  記録ヘッド
５２  キャリッジ
５３  ヘッドセットカバー
５５  ヘッドセットカムばね
５６  ジョイント部
７１  インクタンク
７２  供給チューブ
５２３  ロック部
５３３  ロック解除部
５７１  爪部
【図１】
0006422423.tif 000002
【図２】
0006422423.tif 000003
【図３】
0006422423.tif 000004
【図４】
0006422423.tif 000005
【図５】
0006422423.tif 000006
【図６】
0006422423.tif 000007
【図７】
0006422423.tif 000008
【図８】
0006422423.tif 000009
【図９】
0006422423.tif 000010
【図１０】
0006422423.tif 000011
【図１１】
0006422423.tif 000012
【図１２】
0006422423.tif 000013